(57)【特許請求の範囲】
【請求項１】
帆立貝耳片部に設ける支持孔に嵌合する外径の軸部（２）の軸部本体（２ｃ）の先端部（２ｂ）に円弧状に弯曲形成した抜け止め片（３）を備える銛状の養殖帆立貝の係止ピン（１）において、
前記軸部本体（２ｃ）の先端部（２ｂ）の後部には、軸部中心線（ｄ）の上半部を後上傾するように削って後上傾する小径部（２ｅ）を形成し、削った上半部の余片を上方に起立させつつ弧状に弯曲させ、軸部（２）の先端部（２ｂ）と軸部本体（２ｃ）の先部間に、上方に弧状に弯曲して起立する抜け止め片（３）を形成し、
前記抜け止め片（３）は、先端部（２ｂ）の後部から後方の所定軸方向長さにわたって設けられ、上方に弧状に弯曲して起立突設されており、
弧状に弯曲した前記抜け止め片（３）の基部（３ｃ）を除く先端部（３ａ）〜中間部（３ｂ）は、その円弧の半径ｒが小さくて、円弧の中心（Ｏ）が、抜け止め片（３）の先端部（３ａ）よりも軸部（２）の中心線（ｄ）に偏るように偏在し、
前記抜け止め片（３）の基部（３ｃ）は、円弧の中心（Ｏ１）が先端部（３ａ）の外方にあって、円弧の半径ｒ１が大きい、
ことを特徴とする養殖帆立貝の係止ピン。
【請求項２】
前記軸部（２）の前記抜け止め片（３）の基部（３ｃ）近傍の反対側の外周面（３ｇ）には、鋸歯部（４）を設けたことを特徴とする請求項１記載の養殖帆立貝の係止ピン。
【発明の詳細な説明】
【０００１】
【発明の属する技術分野】
本発明は、帆立貝の養殖に用いる係止ピンの改良に関するものである。
【０００２】
【従来の技術】
帆立貝の養殖用の係止ピンとして意匠登録第９６９，２３５号意匠が開示されている。
この係止ピンは、細い棒状の軸部の両端部に帆立貝の係止部を設け、係止ピンの軸部をロープに直交するように貫通して支持する。係止ピンは、多数本ロープの長さ方向に所定ピッチで支持する。
以上の各係止ピンの両端部の係止部に、帆立貝の耳片部を支持孔を介して支持し、ロープを海中に投入し、帆立貝を海中に臨ませて養殖する。
【０００３】
【発明が解決しようとする課題】
図７は、上記した従来の係止ピンによる帆立貝の支持状態を示す説明図である。
図７の（ａ）に示すように、係止ピン１００の軸部１０１をロープ１０８に直交するように貫通し、軸部１０１の長さ方向の中間部１０３を支持し、係止ピン１００の∠状の先端係止部１０４の小径軸部１０１ａを、帆立貝１０６の耳片部１０６ａに設けた支持孔を通して帆立貝１０６を支持する。又係止ピン１００の軸部１０１の後端部１０５に小径部１０１ｂを設け、この部分に帆立貝１０６の耳片部１０６ａに設けた支持孔を通し、帆立貝１０６を支持する。
以上のロープ１０８を海中に投入し、帆立貝１０６…は海中に投入されたロープに係止ピン１００…を介して支持されて養殖される。
【０００４】
図７の（ｂ）は係止ピン１００はロープに対して、例えば１８０°回転した状態を示す。帆立貝１０６…の養殖は、長期間海中に帆立貝を支持したロープを投入してなされ、潮流、帆立貝１０６の成長に伴う運動、これら等に起因する図の矢印で示す係止ピン１００の回転により、帆立貝１０６が∠状先端係止部１０４から脱落する虞がある。
【０００５】
ところで、従来では帆立貝の耳片部の穿孔許容範囲が広い二枚重ね合わせ部分に穿孔して支持孔を設け、この部分に係止ピンを挿入し、係止、支持していた。
ところで、帆立貝の耳片部の二枚重ね部間には外套膜が介在しており、二枚重ね構造の耳片部に支持孔をドリル等で穿孔した際、外套膜を傷つける虞があり、外套膜を傷つけると、帆立貝の成育に障害を生じる虞がある。
そこで、帆立貝の耳片部の一枚部分である排出部に穿孔することで、外套膜を傷つけることがなく、帆立貝の成育を良好に行なわせることができる。
ところで、耳片部の排出部は狭く、穿孔の許容範囲は狭く、支持孔の位置は帆立貝の外殻部に近い部分となる。
排出部に支持孔を設け、係止ピンで帆立貝を支持した際、下記のような不都合が生じる虞がある。
【０００６】
図７の（ｃ）は図７の（ｂ）のｃ部の拡大図で、帆立貝１０６の二枚の殻１０６ｂ，１０６ｂの二枚重ねの耳片部１０６ａの一方１０６ｃに排出部１０６ｄが存在し、排出部１０６ｄに支持孔１０６ｅを穿設し、支持孔１０６ｅに係止ピン１００の銛状（∠状）の先端係止部１０４が挿入されている。抜け止め片１０４ａは、軸部１０１の先端部を二股状に裂いて形成している。
抜け止め片１０４ａは、図７の（ａ）にように上を向いた状態では支持孔１０６ｅの上方に上傾するように向き、耳片部１０６ａの支持孔１０６ｅの一側面の周辺部に係合し、支持孔１０６ｅから先端係止部１０４が抜けることがない。
【０００７】
ところで、図７の（ｃ）に示すように、上述した潮流、帆立貝の成長に伴う運動等で係止ピン１００が１８０°回転した場合、抜け止め片１０４ａの先端部が帆立貝の外殻１０６ａの支持孔１０６ｅに近接する弧状基部１０６ｆに当って内側に撓曲し、先端係止部１０４の小径軸部１０１ａと重なり（軸部１０１と略々同径、或いは同径となる）、支持孔１０６ｆから抜け止め片１０４ａを含む先端係止部１０４が抜け出す。
この結果、帆立貝１０６が係止ピン１００から脱落するような事態が発生する。
【０００８】
本発明者は、以上の課題を解決すべく本発明をなしたものである。
本発明の目的とする処は、帆立貝の耳片部の外殻の基部に近い一枚部分の排出部に支持孔を設け、支持孔に係止ピンの抜け止め片を含む先端係止部を挿入して帆立貝を係止し、外套膜を傷つけることなく、帆立貝の成育を良好に行なわせ得る養殖帆立貝の係止ピンを提供する。
又本発明の目的とする処は、帆立貝耳片部の支持孔に係止ピンの抜け止め片を含む先端係止部を挿入しつつ、係止ピンが１８０°回転した際、抜け止め片の先端部を支持孔周辺部に当接させ、係止ピンの帆立貝支持孔からの抜け出し、脱落を防止し得るようにした養殖帆立貝の係止ピンを提供することにある。
更に本発明の他の目的とする処は、抜け止め効果を一層高め得る養殖帆立貝の係止ピンを提供することにある。
【０００９】
【課題を解決するための手段】
上記課題を解決するために請求項１は、帆立貝耳片部に設ける支持孔に嵌合する外径の軸部の軸部本体の先端部に円弧状に弯曲形成した抜け止め片を備える銛状の養殖帆立貝の係止ピンにおいて、軸部本体の先端部の後部には、軸部中心線ｄの上半部を後上傾するように削って後上傾する小径部を形成し、削った上半部の余片を上方に起立させつつ弧状に弯曲させ、軸部の先端部と軸部本体の先部間に、上方に弧状に弯曲して起立する抜け止め片を形成し、抜け止め片は、先端部の後部から後方の所定軸方向長さにわたって設けられ、上方に弧状に弯曲して起立突設されており、弧状に弯曲した抜け止め片の基部を除く先端部〜中間部は、その円弧の半径ｒが小さくて、円弧の中心Ｏが、抜け止め片の先端部よりも軸部の中心線ｄに偏るように偏在し、抜け止め片の基部は、円弧の中心Ｏ１が先端部の外方にあって、円弧の半径ｒ１が大きいことを特徴とする。
【００１０】
請求項１では、銛状の軸部先端部に設けた抜け止め片は、軸部を裂いて形成しているが、円弧状の抜け止め片は、その円弧の中心を抜け止め片の先端部よりも係止ピン軸部の中心部寄りに偏在させ、該抜け止め片の先端部を係止ピンの先端部方向に弯曲させたので、万一係止ピンが１８０°回転し、抜け止め片が下方を向き、帆立貝の外殻基部に接触して撓曲しても、係止ピンの先端部方向に捲れ、支持孔周辺部に当接して支持孔内への挿入が阻止され、帆立貝の支持孔から係止ピン先端部が抜け出すのを防止することができる。
【００１１】
請求項２は、請求項１において、軸部の抜け止め片の基部近傍の反対側には、鋸歯部を設けたことを特徴とする。
請求項２では、鋸歯部が支持孔の抜け止め片の反対側の内周に食い込み、係止ピン先端部の抜け止め効果は一層向上する。
【００１２】
【発明の実施の形態】
本発明の実施の形態を添付図に基づいて以下に説明する。なお、図面は符号の向きに見るものとする。
図１は、本発明に係る係止ピンの先端部の拡大側面図である。
係止ピン１は、前記した係止ピン１００と基本的な構造は同じで、軸部２の最先端部２ａを尖鋭とし、実施の形態では先端部２ａを極く小径の半球状とし、この後方に拡径するように先端部２ｂが連続する。軸部２の外径は、後述する帆立貝耳片部に設ける支持孔に嵌合する径とする。
係止ピンは、合成樹脂で形成する。
【００１３】
軸部２の先端部２ｂの後部から後方に同径の軸部本体２ｃが延設されており、図に示すｄは、軸部２の中心線である。
軸部２の軸部本体２ｃの先部で、先端部２ｂの後部には、軸部中心線ｄの上半部を後上傾するように削って後上傾する小径部２ｅを形成し、削った上半部の余片を上方に起立させつつ弧状に弯曲させ、軸部２の先端部２ｂと軸部本体２ｃの先部間に、上方に弧状に弯曲して起立する抜け止め片３を形成する。
図１では、軸部２の右部分を破断して示したが、軸部２は図の右方向に延出し、中央部のロープへの係止凹部、右端部（基端部）の帆立貝支持用の係止凹部を備えることは、前記した意匠登録第９６９，２３５号意匠等と同様である。
【００１４】
抜け止め片３は、先端部２ｂの後部から後方の所定軸方向長さにわたって設けられ、上方に弧状に弯曲して起立突設される。
弧状に弯曲した抜け止め片３の基部３ｃを除く先端部３ａ〜中間部３ｂは、その円弧の半径ｒが小さく（小アール）て、円弧の中心Ｏが、抜け止め片３の先端部３ａよりも軸部２の中心線ｄに偏るように偏在する。
以上により、抜け止め片３の先端部３ａは、係止ピン１の軸部２の先端部２ｂ方向に弯曲することとなる。
また、抜け止め片３の基部３ｃは、この部分も円弧状ではあるが、円弧の中心Ｏ１が先端部３ａの外方にあって、円弧の半径ｒ１が大きい（大アール）。
【００１５】
図２は、帆立貝１０の穿孔作業を示す斜視図である。
帆立貝１０の二枚の外殻１１の重なり合った耳片１２，１２の一方に欠部が形成されていて、この部分に排出部１３が形成され、排出部１３は一方の耳片部に形成された欠部により、他方の耳片部のこの部分が凹部１４となる。
以上の帆立貝１０の耳片部１２，１２の排出部１３を構成する凹部１４に、上からドリル２０を介して支持孔１５を穿設する。
【００１６】
図３は、帆立貝の支持孔に係止ピン１を挿入し、帆立貝を係合、支持した状態を示す要部の拡大縦断面図である。
帆立貝１０は、排泄部１３となる凹部１４により一枚の耳片となった薄手となる一方の耳片１２ａに支持孔１５が形成される。支持孔１５は、一枚となった耳片１２ａに穿設されるので縁部では強度が確保し難く、従って、耳片の部分の外殻１１に近接した部分に形成する。
従って、支持孔１５周辺部の耳片外側部は、耳片１２ａと外殻１１との境界部ｅは、連続したアール部分となる。
【００１７】
上記した帆立貝１０の支持孔１５に耳片の凹部１４側から係止ピン１を挿入する。
係止ピン１の最先端部２ａは、極く小径で尖鋭な半球状に形成されているので、支持孔１５に凹部１４側（排出部１３側）から挿入され、抜け止め片３は支持孔１５との係合による摺動で内側に撓み、抜け止め片３は軸部２の先部の小径部２ｅと重なり、支持孔１５内を図の左方から右方に移動する。
【００１８】
抜け止め片３は、支持孔１５からその先端部３ａが耳片部１２ａの外側壁面１２ｂに露出することで拘束を離れ、弾性力で旧に復し、弧状に弯曲し、弧状弯曲部の中間部の軸方向後方の部分３ｄが、支持孔１５周辺部の外側壁面１２ｂに弾性的に当接する。
係止ピン１の軸部２の抜け止め片３が撓曲して弾性的に立上がった後の小径部２ｅが、支持孔１５と係合する。
【００１９】
図４は、係止ピン１が１８０°回転して反転した状態を示す図３と同様の図である。
係止ピン１は支持孔１５内において前記したように１８０°回転する場合がある。
図３において上を向いていた係止ピン１は、図４においては下向きとなる。この状態で、帆立貝１０には、状況によっては図の左側への係止ピン１を抜き出そうとする力が作用する場合がある。
【００２０】
このような状況下においては、抜け止め片３は、支持孔１５周辺部において、耳片部１２ａの図における外側下部の外殻１１の上端部のアール状の境界部ｅに当接し、抜け止め片３は、上述したように抜け止め片３の円弧の中心が、抜け止め片３の先端部３ｂよりも係止ピン軸部の中心部寄りに偏在しており、抜け止め片の３先端部３ａは係止ピン１の軸部２の先端部２ａ方向に弯曲させたいる。
従って、係止ピンが１８０°回転し、抜け止め片３が図４のように下方を向き、帆立貝の外殻１１の基部ｅ（境界部）に接触して帆立貝１０が図４の右側に摺動し、この力で撓曲、変形しても、係止ピンの先端部方向に捲れる。
【００２１】
従って、抜け止め片３は、撓曲し、支持孔１５の周辺部に撓曲した状態で当接し、支持孔１５内への抜け止め片３の挿入が阻止され、帆立貝の支持孔から係止ピン先端部が抜け出すのを防止することができる。
この際、係止ピン１の軸部２の小径部２ｅの反対側外周面２ｆは、」支持孔１５の図の上位となった面１５ａに当接し、抜け止め片３の撓曲、弾発作用で外周面２ｆは支持孔１５の内面１５ａに押し接される。
従って、係止ピン１が支持孔１５内で１８０°回転しても、抜け止め片３は撓曲して支持孔１５の周辺部の外側壁面１２ｂに撓曲、当接し、支持孔１５内に侵入することがなく、支持孔１５に抜け止め片３が撓曲して侵入することで、帆立貝が係止ピン１の先端部の係止部から抜け出すのを確実に防止する。
【００２２】
図５は、変更された実施の形態を示す図１と同様の図である。
本実施の形態において、基本構造は図１の実施の形態と同様なので、同一部分には同一符号を付し、詳細な説明は省略する。
係止ピン１の軸部２の前記した小径部２ｅ（帆立貝を支持孔を介して支持した際に、支持孔に係合する部分）の抜け止め片３を形成した部分とは反対側の外周面２ｇに鋸歯部４を設ける。実施の形態では、鋸歯部４…（…は複数を表す。以下同じ）は、軸方向前後に少しの間隔をあけて連続して２ヵ所設けた。
【００２３】
図６は、図５の係止ピンによる帆立貝支持状態の図３と同様の図である。
係止ピン１の帆立貝支持孔１５に係合している部分の外周の一部には、上記したように鋸歯部分４…が形成されているので、この部分が支持孔１５の内周に背する場合には、この部分に係合し、支持を確実化する。
【００２４】
一方、上記した図４のように係止ピンが１８０°回転した場合には、鋸歯部分４…が上向きとなり、支持孔１５の天井部に係合し（重力作用で帆立貝１０は下方に垂れ下がり、支持孔天井部に反転した係止ピン１の鋸歯部分４が係合する）、係合作用で帆立貝の係止ピン１に対する摺動を抑制する。
前記した抜け止め片３の撓曲により支持孔内への侵入の防止、支持孔外側周辺部の閉塞作用が並行してなされ、係止ピン１の支持孔からの抜け出し防止作用を、一層向上させることができる。
【００２５】
【発明の効果】
本発明は上記構成により次の効果を発揮する。
請求項１は、帆立貝耳片部に設ける支持孔に嵌合する外径の軸部の軸部本体の先端部に円弧状に弯曲形成した抜け止め片を備える銛状の養殖帆立貝の係止ピンにおいて、軸部本体の先端部の後部には、軸部中心線ｄの上半部を後上傾するように削って後上傾する小径部を形成し、削った上半部の余片を上方に起立させつつ弧状に弯曲させ、軸部の先端部と軸部本体の先部間に、上方に弧状に弯曲して起立する抜け止め片を形成し、抜け止め片は、先端部の後部から後方の所定軸方向長さにわたって設けられ、上方に弧状に弯曲して起立突設されており、弧状に弯曲した抜け止め片の基部を除く先端部〜中間部は、その円弧の半径ｒが小さくて、円弧の中心Ｏが、抜け止め片の先端部よりも軸部の中心線ｄに偏るように偏在し、抜け止め片の基部は、円弧の中心Ｏ１が先端部の外方にあって、円弧の半径ｒ１が大きい。
【００２６】
請求項１では、銛状の軸部先端部に設けた抜け止め片は、軸部を裂いて形成しているが、円弧状の抜け止め片は、その円弧の中心を抜け止め片の先端部よりも係止ピン軸部の中心部寄りに偏在させ、抜け止め片の先端部を係止ピンの先端部方向に弯曲させたので、万一係止ピンが１８０°回転し、抜け止め片が下方を向き、帆立貝の外殻基部に接触して撓曲しても、抜け止め片は円弧状に撓曲し、係止ピンの先端部方向に捲れ、支持孔を形成する帆立貝耳片部の該支持孔周辺部に先端部を含む抜け止め片は当接し、先端部を含む抜け止め片の支持孔内への挿入が阻止される。従って、万一係止ピンが１８０°回転し、抜け止め片が下方を向いた状態が発生しても、帆立貝の支持孔から係止ピン先端部の係止部が抜け出すのを防止することができる。
【００２７】
請求項２は、請求項１において、軸部の抜け止め片の基部近傍の反対側に、鋸歯部を設けた。
【００２８】
請求項２では、係止ピンが１８０°回転した場合には、鋸歯部が上向きとなり、支持孔の天井部に係合し、係合作用で帆立貝の係止ピンに対する摺動を抑制すし、前記した抜け止めの撓曲による支持孔内への侵入の防止、支持孔外側周辺部の閉塞作用が併せてなされ、係止ピンの先端部の係止部の支持孔からの抜け出し防止作用を、一層向上させることができる。
【図面の簡単な説明】
【図１】本発明に係る係止ピンの先端部の拡大側面図
【図２】帆立貝の穿孔作業を示す斜視図
【図３】帆立貝の支持孔に係止ピンを挿入し、帆立貝を係合、支持した状態を示す要部の拡大縦断面図
【図４】係止ピン１が１８０°回転して反転した状態を示す図３と同様の図である。
【図５】変更された実施の形態を示す図１と同様の図
【図６】図５の係止ピンによる帆立貝支持状態の図３と同様の図
【図７】従来の係止ピンによる帆立貝の支持状態を示す説明図で、（ａ）はロープに係止ピンを貫通、支持し、帆立貝を係止ピンの左右に係止、支持した状態の図、（ｂ）は係止ピンが１８０°回転した状態の図、（ｃ）は（ｂ）のｃ部の拡大図
【符号の説明】
１…係止ピン、  ２…軸部、２ｂ…先端部、 ２ｃ…軸部本体、 ２ｅ…小径部、  ３…抜け止め片、  ３ａ…抜け止め片先端部、  ３ｂ…中間部、 ３ｃ…基部、 ３ｇ…抜け止め片の基部近傍の反対側の外周面、  ４…鋸歯部、  １０…帆立貝、  １５…支持孔、  ｄ…係止ピン軸部の中心線、  Ｏ…抜け止め片の先端部３ａ〜中間部３ｂの円弧の中心、Ｏ１…抜け止め片の基部３ｃの円弧の中心。
【図１】
0004643818.tif 000002
【図２】
0004643818.tif 000003
【図３】
0004643818.tif 000004
【図４】
0004643818.tif 000005
【図５】
0004643818.tif 000006
【図６】
0004643818.tif 000007
【図７】
0004643818.tif 000008